(57)【要約】【課題】楽譜を見ながら実際に鍵盤を弾いて練習でき、視覚的なおもしろみを有して飽きの来ない鍵盤楽器用練習補助具を提供する。【解決手段】本考案の鍵盤楽器用練習補助具１は、鍵盤３上に直接設置して演奏する楽曲に対応する打鍵位置と演奏手順を表示して使用する鍵盤楽器５用の練習補助具があって、使用する鍵盤楽器５の鍵盤３の白鍵７の大きさに合わせて所定幅間隔に罫線１１が図示された白鍵表示部１３と、使用する鍵盤楽器５の鍵盤３の黒鍵９の位置と大きさに合わせて形成される複数の黒鍵係合凹部１５と、を備え、白鍵表示部１３と黒鍵係合凹部１５は、演奏する楽曲を、その旋律に合わせて細分化した演奏要素１７を表示する単位シート１９ごとに設けられており、当該複数の単位シート１９を演奏の順番に合わせて束ねることによって形成されている。【選択図】  図１
0003210842.tif 000002
【実用新案登録請求の範囲】
【請求項１】
鍵盤上に直接設置して演奏する楽曲に対応する打鍵位置と演奏手順を表示して使用する鍵盤楽器用の練習補助具であって、
使用する鍵盤楽器の鍵盤の白鍵の大きさに合わせて所定幅間隔に罫線が図示された白鍵表示部と、
使用する鍵盤楽器の鍵盤の黒鍵の位置と大きさに合わせて形成される複数の黒鍵係合凹部と、を備え、
上記白鍵表示部と黒鍵係合凹部は、演奏する楽曲を、その旋律に合わせて細分化した演奏要素を表示する単位シートごとに設けられており、当該複数の単位シートを演奏の順番に合わせて束ねることによって形成されていることを特徴とする鍵盤楽器用練習補助具。
【請求項２】
上記各単位シートの白鍵表示部には、その余白を使用して当該演奏要素の打鍵開始位置と、打鍵位置と、演奏手順とを示す案内表示が表示可能に構成されていることを特徴とする請求項１記載の鍵盤楽器用練習補助具。
【請求項３】
上記各単位シートの白鍵表示部には、その余白を使用して当該演奏要素の打鍵開始位置と、打鍵位置と、演奏手順とを示す案内表示が予め表示されていることを特徴とする請求項１記載の鍵盤楽器用練習補助具。
【請求項４】
上記打鍵開始位置を示す案内表示は文字または図形であり、上記打鍵位置を示す案内表示は当該打鍵位置に対応した音階を示す文字または絵表示であり、上記演奏手順を示す案内表示は、数字または矢印のいずれか一方または双方であることを特徴とする請求項２または３記載の鍵盤楽器用練習補助具。
【請求項５】
上記白鍵表示部の長さは、上記黒鍵係合凹部を当該鍵盤楽器の鍵盤における黒鍵と係合させた状態で、当該白鍵表示部の手前に当該鍵盤楽器の鍵盤における白鍵の打鍵部位が露出する長さに形成されていることを特徴とする請求項１〜４のいずれかに記載の鍵盤楽器用練習補助具。
【請求項６】
上記黒鍵係合凹部の係合長さは、該黒鍵係合凹部に当該鍵盤楽器の鍵盤における黒鍵を係合させた状態で当該黒鍵の前端を含む少なくとも前端側の一部の範囲と係合する長さに形成されていることを特徴とする請求項１〜５のいずれかに記載の鍵盤楽器用練習補助具。
【請求項７】
上記複数の単位シートは、上記黒鍵係合凹部が形成されている辺を支点として一枚ずつ開閉できるように冊子状に綴じられることによって束ねられていることを特徴とする請求項１〜６のいずれかに記載の鍵盤楽器用練習補助具。
【請求項８】
上記複数の単位シートは、上記黒鍵係合凹部が形成されている辺を支点として一枚ずつ開閉できるように連結具を介して連結されることによって束ねられていることを特徴とする請求項１〜６のいずれかに記載の鍵盤楽器用練習補助具。
【請求項９】
上記複数の単位シートが束ねられた鍵盤楽器用練習補助具には、上方から後方にかけて開いた単位シートを後傾姿勢で支持する支持スタンドが当該鍵盤楽器用練習補助具の一部として設けられていることを特徴とする請求項１〜８のいずれかに記載の鍵盤楽器用練習補助具。
【請求項１０】
上記複数の単位シートが束ねられた鍵盤楽器用練習補助具には、上方から後方にかけて開いた単位シートを後傾姿勢で支持する支持スタンドが当該鍵盤楽器用練習補助具の付属部品として設けられていることを特徴とする請求項１〜８のいずれかに記載の鍵盤楽器用練習補助具。
【考案の詳細な説明】
【技術分野】
【０００１】
本考案は、鍵盤楽器の演奏を始める初心者が使用する鍵盤楽器用の練習補助具に係り、特に鍵盤上に直接設置して実際に鍵盤を指で弾きながら指の運びを視覚的に習得することができる鍵盤楽器用練習補助具に関するものである。
【背景技術】
【０００２】
従来から下記の特許文献１〜３に示すように、鍵盤楽器の演奏を始める初心者が鍵盤の指の運びを覚えるために使用する鍵盤楽器用の練習補助具が種々提案されている。
このうち、特許文献１では鍵盤の平面形状を描いたシート上に鍵盤を弾く位置を順番に示す番号や歌詞を記し、更にこれらを結ぶ矢印線によって音の長さ等を表示するようにした楽譜表示フォームが開示されている。
【０００３】
また、特許文献２では鍵盤の幅間隔に等しい罫線をシート上に描き、罫線間のスペースに弾く順番を示す数字や文字、記号等を表示し、更に鍵盤を弾く長さ（時間）を色で表示したピアノ演奏用教習具が開示されている。
また、特許文献３では、互い違いに折り畳んで使用する長尺なシート上に鍵盤の位置を示す縦線と音の単位音長を示す細い横線とを印刷し、上記縦線上に演奏記号を表示すると共に、該演奏記号の近傍に音階文字を表示した鍵盤楽器練習用の楽譜が開示されている。
【先行技術文献】
【特許文献】
【０００４】
【特許文献１】特開平９−２１８６３９号公報
【特許文献２】実開平４−１３３２７０号公報
【特許文献３】実開昭５４−１２８５６１号公報
【考案の概要】
【考案が解決しようとする課題】
【０００５】
しかしながら、上記特許文献１では、楽譜を見ながら、この楽譜表示フォームを使用すれば、鍵盤を弾く指の運びを覚える練習になるが、実際の鍵盤を使用していないので現実味に欠け、特に鍵盤楽器を練習する人が幼児であれば、音が出ない楽譜表示フォームはおもしろみがないため直ぐに飽きてしまう。
また、上記特許文献２、３は鍵盤の後に立て掛けたり、取り付けて使用するものであるから、実際に鍵盤を弾きながら練習できるが、楽譜との併用ができないため、楽譜と鍵盤を弾く指の運びの習得ができない。また、これらの鍵盤楽器用の練習補助具はすべて形式的で、視覚的なおもしろみに欠け、幼児等に鍵盤の演奏に親しんでもらう工夫が足りない。
【０００６】
本考案はこのような点に基づいてなされたものでその目的とするところは、楽譜を見ながら実際に鍵盤を弾いて練習でき、幼児等に親しんでもらえる視覚的なおもしろさを有し、鍵盤楽器との一体性に優れた使い易い鍵盤楽器用練習補助具を提供することにある。
【課題を解決するための手段】
【０００７】
上記目的を達成すべく本考案の請求項１による鍵盤楽器用練習補助具は、鍵盤上に直接設置して演奏する楽曲に対応する打鍵位置と演奏手順を表示して使用する鍵盤楽器用の練習補助具であって、使用する鍵盤楽器の鍵盤の白鍵の大きさに合わせて所定幅間隔に罫線が図示された白鍵表示部と、使用する鍵盤楽器の鍵盤の黒鍵の位置と大きさに合わせて形成される複数の黒鍵係合凹部と、を備え、上記白鍵表示部と黒鍵係合凹部は、演奏する楽曲を、その旋律に合わせて細分化した演奏要素を表示する単位シートごとに設けられており、当該複数の単位シートを演奏の順番に合わせて束ねることによって形成されていることを特徴とするものである。
【０００８】
また、請求項２による鍵盤楽器用練習補助具は、請求項１記載の鍵盤楽器用練習補助具において、上記各単位シートの白鍵表示部には、その余白を使用して当該演奏要素の打鍵開始位置と、打鍵位置と、演奏手順とを示す案内表示が表示可能に構成されていることを特徴とするものである。
【０００９】
また、請求項３による鍵盤楽器用練習補助具は、請求項１記載の鍵盤楽器用練習補助具において、上記各単位シートの白鍵表示部には、その余白を使用して当該演奏要素の打鍵開始位置と、打鍵位置と、演奏手順とを示す案内表示が予め表示されていることを特徴とするものである。
【００１０】
また、請求項４による鍵盤楽器用練習補助具は、請求項２または３記載の鍵盤楽器用練習補助具において、上記打鍵開始位置を示す案内表示は文字または図形であり、上記打鍵位置を示す案内表示は当該打鍵位置に対応した音階を示す文字または絵表示であり、上記演奏手順を示す案内表示は、数字または矢印のいずれか一方または双方であることを特徴とするものである。
【００１１】
また、請求項５による鍵盤楽器用練習補助具は、請求項１〜４のいずれかに記載の鍵盤楽器用練習補助具において、上記白鍵表示部の長さは、上記黒鍵係合凹部を当該鍵盤楽器の鍵盤における黒鍵と係合させた状態で、当該白鍵表示部の手前に当該鍵盤楽器の鍵盤における白鍵の打鍵部位が露出する長さに形成されていることを特徴とするものである。
【００１２】
また、請求項６による鍵盤楽器用練習補助具は、請求項１〜５のいずれかに記載の鍵盤楽器用練習補助具において、上記黒鍵係合凹部の係合長さは、該黒鍵係合凹部に当該鍵盤楽器の鍵盤における黒鍵を係合させた状態で当該黒鍵の前端を含む少なくとも前端側の一部の範囲と係合する長さに形成されていることを特徴とするものである。
【００１３】
また、請求項７による鍵盤楽器用練習補助具は、請求項１〜６のいずれかに記載の鍵盤楽器用練習補助具において、上記複数の単位シートは上記黒鍵係合凹部が形成されている辺を支点として一枚ずつ開閉できるように冊子状に綴じられることによって束ねられていることを特徴とするものである。
【００１４】
また、請求項８による鍵盤楽器用練習補助具は、請求項１〜６のいずれかに記載の鍵盤楽器用練習補助具において、上記複数の単位シートは上記黒鍵係合凹部が形成されている辺を支点として一枚ずつ開閉できるように連結具を介して連結されることによって束ねられていることを特徴とするものである。
【００１５】
また、請求項９による鍵盤楽器用練習補助具は、請求項１〜８のいずれかに記載の鍵盤楽器用練習補助具において、上記複数の単位シートが束ねられた鍵盤楽器用練習補助具には、上方から後方にかけて開いた単位シートを後傾姿勢で支持する支持スタンドが当該鍵盤楽器用練習補助具の一部として設けられていることを特徴とするものである。
【００１６】
また、請求項１０による鍵盤楽器用練習補助具は、請求項１〜８のいずれかに記載の鍵盤楽器用練習補助具において、上記複数の単位シートが束ねられた鍵盤楽器用練習補助具には、上方から後方にかけて開いた単位シートを後傾姿勢で支持する支持スタンドが当該鍵盤楽器用練習補助具の付属部品として設けられていることを特徴とするものである。
【考案の効果】
【００１７】
そして、上記手段によって以下のような効果が得られる。即ち、本考案による鍵盤楽器用練習補助具によると、鍵盤上に直接設置して使用する鍵盤楽器用の練習補助具であるから、実際に当該鍵盤楽器の鍵盤を弾いて、指先の感触や音を確かめながら演奏の練習を行うことができる。また、譜面台に楽譜を載せて、その楽譜を見ながら演奏の練習ができるから、楽譜の読み方も合わせて勉強することができる。
また、演奏する楽曲を、その旋律に合わせて細分化した演奏要素を表示した単位シートごとに当該楽曲の演奏を練習できるから特に初心者に分かり易い教材となる。
【００１８】
また、上記白鍵表示部に余白を設けて、その余白に当該演奏要素の打鍵開始位置と、打鍵位置と、演奏手順とを示す案内表示を表示できるようにした場合には、ユーザー自身や親、講師等が演奏する楽曲を自由に選択して、当該楽曲に対応した上記案内表示を直接、白鍵表示部の余白に書き込んだり、予め案内表示を描いておいたシール等を貼り付けることで、オリジナルの鍵盤楽器用練習補助具を作ることが可能になる。
また、上記案内表示が予め表示されている鍵盤楽器用練習補助具を使用する場合には、ユーザー自身や親、講師等が演奏したい楽曲が記載されている鍵盤楽器用練習補助具を選ぶだけで直ちに当該楽曲の演奏の練習を開始することができる。
【００１９】
また、上記打鍵開始位置を示す案内表示を文字または図形とし、上記打鍵位置を示す案内表示を当該打鍵位置に対応した音階を示す文字または絵表示とし、上記演奏手順を示す案内表示を数字または矢印のいずれか一方または双方とした場合には、当該鍵盤楽器を初めて演奏する幼児等でも親しみ易い、視覚的なおもしろさが加わって、当該鍵盤楽器の習熟が早まる。
【００２０】
また、白鍵表示部の長さが、黒鍵係合凹部を黒鍵に係合させた状態で、当該白鍵表示部の手前に白鍵の打鍵部位が露出する長さに形成されている場合には、鍵盤楽器用練習補助具が演奏の邪魔にならず、より鍵盤上に近い位置で使用できるから使い勝手が向上する。
【００２１】
また、黒鍵係合凹部の係合長さが、黒鍵係合凹部を黒鍵に係合させた状態で、黒鍵の前端を含む少なくとも前端側の一部の範囲と係合する長さに形成されている場合には、黒鍵係合凹部と黒鍵の係合状態が維持されるから、鍵盤楽器用練習補助具の演奏中の位置ずれが防止される。また、黒鍵の一部の範囲のみと係合するように黒鍵係合凹部の係合長さを設定した場合には、鍵盤楽器用練習補助具が必要以上に大きくならず、コンパクトで使い易い鍵盤楽器用練習補助具が提供できるようになる。
【００２２】
また、複数の単位シートが、黒鍵係合凹部が形成されている辺を支点として一枚ずつ開閉できるように冊子状に綴じて束ねた場合には、比較的構造が簡単でコンパクトで安価な鍵盤楽器用練習補助具が提供できるようになる。
【００２３】
また、複数の単位シートが、黒鍵係合凹部が形成されている辺を支点として一枚ずつ開閉できるように連結具を介して連結するようにした場合には、楽曲の長さによって使用する単位シートの数を適宜増減できる適用範囲の広い鍵盤楽器用練習補助具が提供できるようになる。
【００２４】
また、上方から後方にかけて開いた単位シートを後傾姿勢で支持する支持スタンドを、鍵盤楽器用練習補助具の一部として設けた場合には、演奏中、上方から後方にかけて開いた状態の単位シートの保持が容易になるから使い勝手が向上する。
【００２５】
また、上方から後方にかけて開いた単位シートを後傾姿勢で支持する支持スタンドを付属部品として設けた場合には、使用する鍵盤楽器の種類等によって演奏中、上方から後方にかけて開いた状態の単位シートの保持が困難な場合（例えばピアニカ等を使用する場合）に、支持スタンドを取り付けて使用し、不要の場合は支持スタンドを取り外すといった選択的な使い方が可能になる。
【図面の簡単な説明】
【００２６】
【図１】本考案の第１の実施の形態を示す図で、鍵盤楽器用練習補助具の使用状態を示す平面図である。
【図２】本考案の第１の実施の形態を示す図で、単位シートを冊子状に束ねる手順の一例を示す説明図である。
【図３】本考案の第１の実施の形態を示す図で、鍵盤楽器用練習補助具を閉じた状態を示す斜視図（ａ）と、開いた状態を示す平面図（ｂ）である。
【図４】本考案の第１の実施の形態を示す図で、鍵盤楽器用練習補助具の使用状態を示す斜視図である。
【図５】本考案の第１の実施の形態を示す図で、鍵盤楽器用練習補助具の使用状態を示す側面図である。
【図６】本考案の第１の実施の形態を示す図で、鍵盤楽器用練習補助具を使用して演奏の練習をしている様子を示す斜視図である。
【図７】本考案の第１の実施の形態を示す図で、演奏の手順を示す平面図である。
【図８】本考案の第１の実施の形態を示す図で、楽譜と絵表示の関係を示す説明図である。
【図９】本考案の第２の実施の形態を示す図で、鍵盤楽器用練習補助具の展開状態を示す平面図である。
【図１０】本考案の第３の実施の形態を示す図で、鍵盤楽器用練習補助具の使用状態を示す斜視図である。
【図１１】本考案の第３の実施の形態を示す図で、鍵盤楽器用練習補助具の使用状態を示す側面図である。
【図１２】本考案の他の実施の形態を示す図で、単位シートを、連結具を使用して束ねる手順の一例を示す説明図である。
【考案を実施するための形態】
【００２７】
以下、図１〜図８に示す第１の実施の形態と、図９に示す第２の実施の形態と、図１０及び図１１に示す第３の実施の形態と、の三つの実施の形態を例にとって、本考案の鍵盤楽器用練習補助具の構成と、該鍵盤楽器用練習補助具を使用して行う演奏の手順と、について具体的に説明する。
また、他の実施の形態の説明の中で、単位シートの束ね方を異にする他の構成の鍵盤楽器用練習補助具について言及する。
【００２８】
〔第１の実施の形態〕（図１〜図８参照）
最初に、本発明の鍵盤楽器用練習補助具１の第１の実施の形態１Ａについて説明する。
（１）鍵盤楽器用練習補助具の構成（図１〜図５参照）
本考案の鍵盤楽器用練習補助具１は、鍵盤３上に直接設置して演奏する楽曲に対応する打鍵位置と演奏手順を表示して使用する鍵盤楽器５用の練習補助具であって、使用する鍵盤楽器５の鍵盤３の白鍵７の大きさに合わせて所定の幅間隔に罫線１１が図示された白鍵表示部１３と、使用する鍵盤楽器５の鍵盤３の黒鍵９の位置と大きさに合わせて形成される複数の黒鍵係合凹部１５と、を備え、上記白鍵表示部１３と黒鍵係合凹部１５は、演奏する楽曲を、その旋律に合わせて細分化した演奏要素１７を表示する単位シート１９ごとに設けられており、当該複数の単位シート１９を演奏の順番に合わせて束ねることによって基本的に形成されている。
【００２９】
そして、本実施の形態では、鍵盤楽器５としてピアノ、オルガン５Ａを例にとり、ピアノ、オルガン５Ａの鍵盤３に対応した鍵盤楽器用練習補助具１Ａが図示されている。また、単位シート１９としては厚紙や合成樹脂シート等が採用可能である。
また、本実施の形態では、上記各単位シート１９の白鍵表示部１３に対して余白２１が設けられており、当該単位シート１９に表示される演奏要素１７の打鍵開始位置を示す案内表示２３と、打鍵位置を示す案内表示２５と、演奏手順を示す案内表示２７と、が予め表示されている。
【００３０】
上記打鍵開始位置を示す案内表示２３としては、「スタート」、「はじめ」等の文字や丸、二重丸、三角、四角等を表す図形等が一例として採用でき、本実施の形態では星形の図形を、打鍵開始位置を示す案内表示２３として使用している。
また、打鍵位置を表す案内表示２５としては、音階を示す「ド」、「レ」、「ミ」等の文字や「ド」の音をイメージさせる「ドーナツ」、「レ」の音をイメージさせる「レモン」、「ミ」の音をイメージさせる「みかん」等を表した絵表示等が一例として採用でき、本実施の形態では、上述の絵表示を含む絵表示を、打鍵位置を表す案内表示２５として使用している。
【００３１】
また、演奏手順を示す案内表示２７としては、数字や矢印のいずれか一方または双方が採用でき、本実施の形態では白鍵表示部１３の左下の余白２１に当該単位シート１９の演奏順を示す丸数字２９を付し、上記打鍵位置を表す案内表示２５の近傍に打鍵する順番を示す矢印３１を付して、上記演奏手順を示す案内表示２７として使用している。
また、白鍵表示部１３の長さＬは、黒鍵係合凹部１５を当該鍵盤楽器５であるピアノ、オルガン５Ａの鍵盤３における黒鍵９と係合させた状態で当該白鍵表示部１３の手前に当該ピアノ、オルガン５Ａの鍵盤３における白鍵７の打鍵部位７ａが露出する長さに形成されている。
【００３２】
また、黒鍵係合凹部１５の係合長さＤは、該黒鍵係合凹部１５に当該ピアノ、オルガン５Ａの鍵盤３における黒鍵９を係合させた状態で当該黒鍵９の前端９ａを含む少なくとも前端側の一部の範囲と係合する長さに形成されている。
また、上記複数の単位シート１９は、図２に示すように上記黒鍵係合凹部１５が形成されている辺３３を支点として一枚ずつ開閉できるように冊子状に綴じられており、本実施の形態では一対の単位シート１９、１９を開いたとき、上面に来る単位シート１９、１９の内面に接着テープ３５を貼り、すべての単位シート１９を束ねた状態で外側から補強テープ３７を貼って冊子状に綴じている。
尚、上記複数の単位シート１９を冊子状に綴じる他の構成として、糸や金属製の線材等で綴じる線綴じや接着剤を使用して綴じる無線綴じを採用することが可能である。
【００３３】
そして、このようにして構成される本実施の形態による鍵盤楽器用練習補助具１Ａを使用する場合には、図４に示すようにピアノ、オルガン５Ａの鍵盤３上において、黒鍵９の前端９ａに黒鍵係合凹部１５の底辺１５ａを当接させ、両者を係合させた状態でセットする。また、セットされた鍵盤楽器用練習補助具１Ａの単位シート１９を上方から後方にかけて開いた状態では、図５に示すように単位シート１９の先端がピアノ、オルガン５Ａの鍵盤３の黒鍵９の後端側の上面に当接することによって、乃至は、鍵盤３の背面から鉛直方向上方にかけて設けられている背面板３９等に当接することによって、後傾姿勢で支持される。
【００３４】
（２）演奏の手順（図６〜図８参照）
次に、このようにして鍵盤３上にセットされた本実施の形態による鍵盤楽器用練習補助具１Ａを使用して行う演奏の手順について説明する。
尚、予め上記背面板３９に備えられている譜面台４１に楽譜４３をセットしておく。ユーザＵは、上記楽譜４３と単位シート１９を見ながら実際に鍵盤３を弾いて演奏を開始する。
最初に、演奏手順１番目の単位シート１９を見て、該単位シート１９に表示されている演奏要素１７の案内表示２３、２５、２７に従って、例えば右手で鍵盤３を弾く。当該演奏要素１７の演奏が終了したら、例えば左手で演奏が終了した単位シート１９を捲って、次に弾く演奏要素１７が表示されている単位シート１９を出す。尚、上記単位シート１９を捲る作業は付き添っている人がいる場合には、当該付き添っている人が捲っても構わない。
【００３５】
次に、単位シート１９ごとの演奏の手順について説明する。例えば図７（ａ）、（ｂ）の順で演奏を行う場合には、図７（ａ）では最初に打鍵開始位置を示す案内表示２３である星形の図形が表示されている位置の白鍵７を弾く。この白鍵７の音階は「ソ」であり、当該位置の白鍵表示部１３には「ソ」の音を表す「ソフトクリーム」をイメージした絵表示が打鍵位置を示す案内表示２５として表示されている。
また、当該位置には「ソフトクリーム」を表した絵表示がもう一つ表示されているから、もう一回、当該位置の白鍵７を弾く。次に、演奏手順を示す案内表示２７である矢印３１に従って、右に三つ移動して「ド」の音階の白鍵７を弾く。尚、当該位置の白鍵表示部１３には、「ド」の音を表す「ドーナツ」をイメージした絵表示が打鍵位置の示す案内表示２５として表示されている。
【００３６】
次に、当該演奏要素１７が表示された単位シート１９を捲って、図７（ｂ）に示す演奏要素１７が表示された単位シート１９を出す。最初に打鍵開始位置を示す案内表示２３である星形の図形が表示されている位置の白鍵７を弾く。この白鍵７の音階は「ラ」であり、当該位置の白鍵表示部１３には「ラ」の音をイメージする「ライオン」を描いた絵表示が打鍵位置を示す案内表示２５として表示されている。
次に、演奏手順を示す案内表示２７である矢印３１に従って、左に一つ移動して白鍵表示部１３に「ソフトクリーム」の絵表示が描かれている当該位置の「ソ」の音階の白鍵７を弾く。同様に矢印３１に従ってさらに左に一つ移動して白鍵表示部１３に「ファイト」をイメージさせる絵表示が描かれている当該位置の「ファ」の音階の白鍵７を弾く。
【００３７】
また、上記演奏に際しては、図８（ａ）に示すように楽譜４３を参照しながら演奏を行うことが望ましく、このようにすれば図８（ｂ）に示すように、打鍵位置を示す案内表示２５である絵表示と、楽譜に記載されている音符等と、実際に弾いている鍵盤３の音との関係を視覚と聴覚を通じて総合的に学習することが可能になる。
そして、このようにして構成される本実施の形態による鍵盤楽器用練習補助具１Ａによれば、楽譜４３を見ながら実際に鍵盤３を弾いて当該鍵盤楽器５であるピアノ、オルガン５Ａの演奏の練習を行うことが可能になる。また、本実施の形態による鍵盤楽器用練習補助具１Ａは、打鍵位置を示す案内表示２５として絵表示を採用するなど、幼児等に親しんでもらえる視覚的なおもしろさを有し、鍵盤楽器５との一体性に優れた使い易い鍵盤楽器用練習補助具１が提供できるようになる。
【００３８】
〔第２の実施の形態〕（図９参照）
次に、本考案の鍵盤楽器用練習補助具１の第２の実施の形態１Ｂについて説明する。
本実施の形態による鍵盤楽器用練習補助具１Ｂは、上記第１の実施の形態による鍵盤楽器用練習補助具１Ａにおいて、白鍵表示部１３の余白２１に予め表示されていた演奏要素１７を示す案内表示２３、２５、２７を省略し、基本的に罫線１１のみが付された白鍵表示部１３を使用するようにしたものである。
【００３９】
そして、本実施の形態では上記演奏要素１７を示す案内表示２３、２５、２７は鍵盤楽器用練習補助具１Ｂとは別にシール台紙４５に貼付される形で用意されており、演奏したい楽曲に合わせて、必要な案内表示２３、２５、２７を上記シール台紙４５から剥がして白鍵表示部１３の対応する位置の余白２１に貼付して使用する。
尚、上述したシール台紙４５に貼付されている案内表示２３、２５、２７ではなく、直接、白鍵表示部１３の対応する位置の余白２１にペン等で案内表示２３、２５、２７を描いて使用することも可能である。
【００４０】
そして、このようにして構成される本実施の形態による鍵盤楽器用練習補助具１Ｂを使用しても、上記第１の実施の形態による鍵盤楽器用練習補助具１Ａを使用した場合と同じ手順で演奏の練習を行うことができる。
また、本実施の形態によれば、ユーザ自身や親、講師等が演奏する楽曲を自由に選択して、当該楽曲に対応した案内表示２３、２５、２７を直接、白鍵表示部１３の余白２１に表示することで、オリジナルの鍵盤楽器用練習補助具１Ｂを作ることが可能になる。
【００４１】
〔第３の実施の形態〕（図１０及び図１１参照）
次に、本考案の鍵盤楽器用練習補助具１の第３の実施の形態１Ｃについて説明する。
本実施の形態による鍵盤楽器用練習補助具１Ｃは、使用する鍵盤楽器５として図１０に示すピアニカ５Ｂ等、鍵盤３の大きさが小さく、鍵盤３の背面に背面板３９を有しない、小型の鍵盤楽器５に対応した鍵盤楽器用練習補助具１になっている。これに伴い、白鍵表示部１３、黒鍵係合凹部１５及び単位シート１９のサイズは上述した第１の実施の形態による鍵盤楽器用練習補助具１Ａよりも小さくなり、白鍵表示部１３に描かれる罫線１１の間隔も上記第１の実施の形態のものよりも狭くなる。
【００４２】
尚、本実施の形態による鍵盤楽器用練習補助具１Ｃのその他の構成については、上記第１の実施の形態による鍵盤楽器用練習補助具１Ａと同様である。
また、本実施の形態では、上方から後方にかけて開いた単位シート１９を後傾姿勢で支持する支持スタンド４７が、図１１に示すように当該鍵盤楽器用練習補助具１Ｃの一部として、あるいは付属部品として設けられている。尚、図示の実施の形態では台形状の支持スタンド４７が描かれているが、このような形状に限らず、金属製線材を折り曲げて形成されるフレーム形状のものや合成樹脂等によって成形される衝立状のもの等、種々の形状、構造の支持スタンド４７が採用可能である。
【００４３】
そして、このようにして構成される本実施の形態による鍵盤楽器用練習補助具１Ｃを使用しても、上記第１の実施の形態による鍵盤楽器用練習補助具１Ａを使用した場合と同じ手順で演奏の練習を行うことができ、上記第１の実施の形態と同様の作用、効果を享受することができる。
また、本実施の形態によれば、鍵盤３の背面に背面板３９を有しない小型のピアニカ等の鍵盤楽器５に対しても使用することができ、ピアノ、オルガン５Ａ等に対しては使用する場合には当該支持スタンド４７を取り外すことによって対応できるようになる。
【００４４】
〔他の実施の形態〕
本発明の鍵盤楽器用練習補助具１は、上述した実施の形態のものに限定されず、その考案の要旨内での変更が可能である。
例えば、複数の単位シート１９を、黒鍵係合凹部１５が形成されている辺３３を支点として一枚ずつ開閉できるように冊子状に束ねるのに際して、図１２に示すようなリング状の連結具４９を介して連結することによって束ねるようにすることも可能である。尚、連結具４９としては、カレンダー等に使用されている金属製線材を方形波状に折り曲げ、この方形波状部分を対向させて歯型状に配列したものや金属製線材をコイルバネ状に巻き付けたもの等が他に採用可能である。
【００４５】
また、演奏要素１７は、上述したものの他、例えば音の強弱や音と音の間隔あるいは音の長さ等を表す他の案内表示を白鍵表示部１３の余白２１に表示することも可能である。  この他、冊子状に単位シート１９を束ねる場合、演奏開始の単位シート１９を最下面に配置し、以下順次、演奏の順番に従って中間の単位シート１９を配置し、最上面に演奏終了の単位シート１９を配置するようにしてもよいし、これとは逆に最上面に演奏開始の単位シート１９を配置し、以下順次、演奏の順番に従って中間の単位シート１９を配置し、最下面に演奏終了の単位シート１９を配置するようにしてもよい。
【産業上の利用可能性】
【００４６】
本考案の鍵盤楽器用練習補助具は、鍵盤楽器の馴染みのない初心者が鍵盤楽器に初めて触れて演奏の練習を行う場合等に利用でき、特に楽譜を見ながら実際の鍵盤を弾いて演奏の練習を行うことができ、視覚的なおもしろさを有して飽きの来ない鍵盤楽器用練習補助具を提供したい場合に利用可能性を有する。
【符号の説明】
【００４７】
１  鍵盤楽器用練習補助具
３  鍵盤
５  鍵盤楽器
５Ａ  ピアノ、オルガン
５Ｂ  ピアニカ
７  白鍵
７ａ  打鍵部位
９  黒鍵
９ａ  前端
１１  罫線
１３  白鍵表示部
１５  黒鍵係合凹部
１５ａ  底辺
１７  演奏要素
１９  単位シート
２１  余白
２３  打鍵開始位置を示す案内表示
２５  打鍵位置を示す案内表示
２７  演奏手順を示す案内表示
２９  丸数字
３１  矢印
３３  辺
３５  接着テープ
３７  補強テープ
３９  背面板
４１  譜面台
４３  楽譜
４５  シール台紙
４７  支持スタンド
４９  連結具
Ｌ  （白鍵表示部の）長さ
Ｄ  （黒鍵係合凹部の）係合長さ
Ｕ  ユーザ
【図１】
0003210842.tif 000003
【図２】
0003210842.tif 000004
【図３】
0003210842.tif 000005
【図４】
0003210842.tif 000006
【図５】
0003210842.tif 000007
【図６】
0003210842.tif 000008
【図７】
0003210842.tif 000009
【図８】
0003210842.tif 000010
【図９】
0003210842.tif 000011
【図１０】
0003210842.tif 000012
【図１１】
0003210842.tif 000013
【図１２】
0003210842.tif 000014